(57)【特許請求の範囲】
【請求項１】
遊技機における配線接続に用いられるコネクタの接続構造であって、
前記コネクタは、コネクタ本体と、該コネクタ本体を被覆するカバー部材とで構成され、
該コネクタ本体の外周面には、操作部が設けられ、
該カバー部材の外周面には、滑り止め突出部が設けられ、
受け口に係合されて接続状態となっているコネクタ本体を抜脱する際に、コネクタ本体に設けられた操作部をコネクタ本体の中心軸線に向かって押圧して該受け口と該コネクタ本体との係合状態が解除される係合解除機構を備え、
さらに該滑り止め突出部は該コネクタ本体における該操作部を基準として該操作部よりもコネクタ抜脱側に配置され、かつ該コネクタの抜脱方向と略直交する方向に突出形成されており、
該コネクタ本体の抜き動作の際に、前記操作部を押圧する指と前記滑り止め突出部の先端とが接触した状態となることを特徴とするコネクタ接続構造。
【請求項２】
前記カバー部材は、透明樹脂材料からなることを特徴とする請求項１に記載のコネクタ接続構造。
【発明の詳細な説明】
【技術分野】
【０００１】
本発明は、例えばパチンコ機やスロットマシンなどの遊技機において、筐体内部に配設される機器同士を電気的に接続するコネクタの接続構造、及び該コネクタを構成するコネクタ本体を被覆するカバー部材に関する。
【背景技術】
【０００２】
従来から、機器同士を電気的に接続する配線用のコネクタとして、例えば特許文献１に開示されているように、接続状態では係止突起と係止孔との係合によって不意のコネクタ抜脱を防止するものが提案されている。このコネクタを抜脱する際には押さえアーム（操作部）を押圧して該係止突起と係止孔との係合を解除し、そしてコネクタを相互に相反する方向へ引き抜けばよい。
【０００３】
また、パチンコ機やスロットマシンなどの遊技機にも上記のようなコネクタが使用されているところ、不正防止の観点から、例えば特許文献２のようにコネクタに接続された配線を覆う構成も提案されている。かかるカバーは、配線コネクタにおける配線接続部とそこから延出する複数の配線の端末近傍部とを覆うものであり、互いに向き合わせて結合し、配線接続部が嵌合しうる嵌合部と、複数の配線を束ねて挿通させる結束挿通部と、嵌合部と結束挿通部との間の外周部を覆う側面視横向き台形状の覆い部とが形成されるようにした２個の分割カバーからなっている。
【先行技術文献】
【特許文献】
【０００４】
【特許文献１】特開平１１−１８５８７４号公報
【特許文献２】特開２００５−３４２４０６号公報
【発明の概要】
【発明が解決しようとする課題】
【０００５】
しかしながら、上記のような遊技機における筐体内の空間には、遊技機を動作させるための多数の制御基板や画像表示器等が配設されたり、様々に動作する可動役物が配設されたりするため、内部空間の大きさが極めて制限されている。特に近年の遊技機は、遊技内容の複雑化、高精度化が進み、電子制御系の装置を豊富に搭載したいという要請が強い。また、遊技者の目を引く可動役物をより一層充実させて、遊技機の興趣性を向上させたいという要請も強い。したがって、筐体内にあっては、限られた狭いスペースに種々多数の機器が緊密に配置されており、それに伴い配線が極めて混雑している。したがって、電気的な接続確認を含むメンテナンス作業の際に、作業者の手が機器と機器との間の隙間に入りにくく、無理な姿勢で上記構成のコネクタを引き抜かなければいけない状況になっている。このため、前記メンテナンス作業は、非常に面倒で労力を要する作業となっていた。さらに、このような状況でのコネクタを引き抜く際には、コネクタの操作部を押圧している指が滑って該操作部から指が離れてしまう場合がある。このように一度指を滑らせてしまうと、コネクタの抜脱作業がそこで中断してしまって改めてやり直さなければいけないのは勿論のこと、指を滑らせた際に周辺の機器に手が当たって周辺の機器を損壊してしまうおそれがある。あるいは、逆に、周辺の機器に手が当った際に作業者が手に怪我をしてしまったりする危険性もある。
【０００６】
また、コネクタ抜脱時に指が滑りやすいという上記問題は、例えば特許文献２に開示された構成を採用した場合にも同様であり、コネクタにカバー部材を装着している場合にもコネクタ抜脱時の指の滑り防止を達成できる構成が提案されることが望ましい。
【０００７】
そこで、本発明は、上記したような問題に鑑み、コネクタ抜脱時の指の滑りを抑えることで遊技機内部のメンテナンス作業の効率化を図ると共に、機器の損壊防止や作業者の怪我防止を図ることができるコネクタの接続構造、及びそれに用いられるコネクタを構成するコネクタ本体を被覆するカバー部材を提供することを目的とする。
【課題を解決するための手段】
【０００８】
本発明は、上記問題を解決する目的でなされたものであり、遊技機における配線接続に用いられるコネクタの接続構造であって、前記コネクタは、コネクタ本体と、該コネクタ本体を被覆するカバー部材とで構成され、該コネクタ本体の外周面には、操作部が設けられ、該カバー部材の外周面には、滑り止め突出部が設けられ、受け口に係合されて接続状態となっているコネクタ本体を抜脱する際に、コネクタ本体に設けられた操作部をコネクタ本体の中心軸線に向かって押圧して該受け口と該コネクタ本体との係合状態が解除される係合解除機構を備え、さらに該滑り止め突出部は該コネクタ本体における該操作部を基準として該操作部よりもコネクタ抜脱側に配置され、かつ該コネクタの抜脱方向と略直交する方向に突出形成されており、該コネクタ本体の抜き動作の際に、前記操作部を押圧する指と前記滑り止め突出部の先端とが接触した状態となることを特徴とするコネクタ接続構造である。なお、前記カバー部材は、透明樹脂材料からなることが望ましい。
【０００９】
かかる構成にあって、作業者が接続状態のコネクタを抜脱する際に、該コネクタに設けられている操作部を押圧する指が前記滑り止め突出部に接触するため、コネクタの抜き動作時に作業者の指が滑ることを好適に防止することができる。具体的には、操作部を押圧しながら該コネクタの抜脱方向にコネクタを引っ張ろうとすると、該操作部の押圧方向とコネクタの抜脱方向とが異なるため指に入れる力の加減が難しく、操作部と作業者の指との間の摩擦が小さくなって指先が操作部に対して滑りやすい状態となる場合がある。しかしながら、作業者の指は、同時に前記滑り止め突出部の先端とも接触しているため、該指と該滑り止め突出部との間の摩擦が全体として摩擦力を補完し、もって操作部に対する指の滑りを抑止することが可能となる。
【００１０】
また、上述のように、該滑り止め突出部の突出方向を、該コネクタの抜脱方向に略直交する方向としたことにより、コネクタの抜き動作時における滑りやすい状態の指をコネクタの抜脱側から確実に受け止めることが可能となり、指の滑りをより一層確実に防いでいる。
【００１１】
さらに、前記滑り止め突出部を設けることで、作業時に自分の腕等が邪魔となり操作対象のコネクタの操作部が十分に見えない場合にも、該滑り止め突出部が案内の役割を兼ねることになり、手探りで的確に操作対象のコネクタの位置や操作部の位置、あるいは抜脱方向を把握することが可能となる。また、滑り止め突出部を備えない既存のコネクタに対して、上記カバー部材を装着することで、外部からの不正行為を防止し得ると共に、コネクタの抜き動作時に指が滑ってしまうことを防止することも可能となる。したがって、滑り止め突出部が形成されている新規のコネクタ本体を成型加工する必要がなくなるため、金型費などによって製造コストが全体として高騰してしまうことを確実に回避することができる。
【００１２】
また、上記構成にあって、押圧状態における前記操作部の先端と前記コネクタの中心軸線との距離ｔ１、及び前記滑り止め突出部の先端と前記中心軸線との距離Ｔが、ｔ１＜Ｔであることが望ましい。
【００１３】
かかる構成にあっては、操作部を押圧した際に該操作部の先端よりも滑り止め突出部の先端の方がコネクタの中心を基準として外側に位置することになるため、操作部に触れる指がより一層滑り止め突出部に接触しやすくなると共に、該滑り止め突出部が抜脱側への指の滑りを確実に受け止めて、滑り止め突出部の滑り止め効果を大幅に向上させる。
【発明の効果】
【００１６】
本発明のコネクタ接続構造は、コネクタの抜脱作業時にあって、操作部を押圧する作業者の指が滑って作業効率が低下してしまったり、周辺の機器が損壊してしまったり、あるいは作業者が怪我をしてしまったりすることを確実に防止することができる効果がある。さらに、該コネクタ接続構造は、前記滑り止め突出部が設けられることで、コネクタの操作部が十分に見えない場合にも該滑り止め突出部が案内の役割を兼ねるため、作業者に、操作対象のコネクタの位置や操作部の位置あるいは抜脱方向を容易に把握させることができる効果がある。また、滑り止め突出部が設けられていない既存のコネクタ本体に対しても簡便に滑り止め効果を持たせることができ、全体としてコストを抑えることができる効果がある。
【図面の簡単な説明】
【００１８】
【図１】スロットマシンを示す斜視図である。
【図２】コネクタ接続構造の受け口を示す斜視図である。
【図３】コネクタ接続構造のコネクタを示す斜視図である。
【図４】コネクタ本体を示す斜視図である。
【図５】一対のカバー体のうち一方のカバー体を示す斜視図である。
【図６】一対のカバー体のうち他方のカバー体を示す斜視図である。
【図７】コネクタ接続構造を示す縦断面図である。
【図８】滑り止め突出部の先端と、操作部の先端との位置関係を示す説明図である。
【図９】コネクタの抜き動作を説明する説明図である。
【発明を実施するための形態】
【００１９】
以下、本発明のコネクタ接続構造を具体化した実施例を詳細に説明する。なお、本発明は、下記に示す実施例に限定されることはなく、適宜設計変更が可能である。ところで実施例を説明する際には、便宜上、前後方向、左右方向、及び上下方向を規定して説明する場合があるが、このことは、本発明が下記実施例で示した方向にのみに限定されて使用されることを意味するものではない。また、便宜上、配線コードＸは図面において一部省略して記載する場合がある。
【００２０】
〔スロットマシン〕
図１に示すように、遊技機としてのスロットマシン１は、前方が開口した筐体２を備えている。さらに、該筐体２内には、電源装置３、リール４を有したリールユニット５、制御基板を収容した基板ケース６、及びホッパー装置７等が配置されている。さらに、前記筐体２の前方の開口を覆うように、図柄表示窓８を有した前扉９がヒンジ構造を介して該筐体２に開閉可能に取り付けられている。
【００２１】
次に、スロットマシン１におけるコネクタ接続構造１０について説明する。
前記スロットマシン１に搭載される各機器に電源供給するための前記電源装置３には、コネクタ接続構造１０が設けられている。具体的に述べると、該電源装置３の外周は、折り曲げ加工された一枚板のメッキ鋼板からなり、その上面の所定位置には、受け口１１が設けられている。そして該受け口１１に、多数の配線コードＸを束ねたコネクタ１２が差し込まれて接続状態とされる。なお、該受け口１１と該受け口１１に対応する該コネクタ１２とによって、本発明に係るコネクタ接続構造１０が構成されている。
【００２２】
〔受け口〕
図２に示すように、前記受け口１１は直方体状をなすケース部材で構成されており、上方に開口したコネクタ受け開口部１４が上部に形成されている。該コネクタ受け開口部１４は、前記コネクタ１２が挿入される箇所であり、該コネクタ受け開口部１４の内周面には、該コネクタ１２が挿入された際に配線コードＸと電気的に接続するピン１５が一列状に複数設けられている。また、該受け口１１において短手側の一対の内壁１６，１６には、横長矩形状のコネクタ係合用凹部１７（一方は隠れて見えない）がそれぞれ設けられている。
【００２３】
〔コネクタ〕
図３に示すように、コネクタ１２は、ほぼ直方体形状をなすコネクタ本体１８と、互いに同一形状をなした一対のカバー体１９，１９からなるカバー部材２０とによって構成されている。
【００２４】
（コネクタ本体）
図４に示すように、前記コネクタ本体１８にあっては、その先端部（下端部）を、前記受け口１１のコネクタ受け開口部１４に挿入される差し込み部１３としている。さらに、該差し込み部１３の先端面（下面）には、上記ピン１５が挿入される挿入孔（図示省略）が複数設けられている。一方、該コネクタ本体１８の基端面（上面）２２には、配線コードＸが接続される角孔状の接続部２３が複数整列状に設けられている。
【００２５】
また、図４に示すように、前記コネクタ本体１８の左右の側面には、弾性変形可能な板片状の弾性係合部２４，２４がコネクタ１２の基端側（上端側）へ向かってそれぞれ延設されており、さらに各弾性係合部２４の端部に、外向きに張り出したブロック形状の操作部２５がそれぞれ設けられている。さらに、各操作部２５のすぐ下側には、前記受け口１１のコネクタ係合用凹部１７に係止可能な角形の突片２６がそれぞれ外向きに突き出されている。すなわち、本実施例にかかるコネクタ１２は、該コネクタ１２の中心軸線ＣＬを基準にして一対の操作部２５，２５が左右対称に配設され、該一対の操作部２５，２５を押圧して互いに接近させ、前記突片２６を内向きに変位させることができる構成となっている。さらに、前記コネクタ本体１８の側壁と前記操作部２５との間には、後述するカバー体１９の爪部４０が嵌入される嵌入溝部３９が形成されている。具体的には、各操作部２５の前後位置に、左右外向きに開放されたスリット状の嵌入溝部３９がそれぞれ設けられている。なお、前記コネクタ本体１８の材料としては、例えばガラス入りＰＢＴ（ポリブチレンテレフタラート）が採用可能である。かかる構成とすることにより、難燃性及び絶縁性を十分に確保することができる。
【００２６】
そして、上記構成にあって、前記コネクタ１２が前記受け口１１に圧入されて接続されると、前記差し込み部１３の下面の挿入孔に前記受け口１１のピン１５が挿入され、前記電源装置３と配線コードＸとが電気的に接続される。また、該コネクタ１２と該受け口１１とが接続状態とされた際には、前記弾性係合部２４の突片２６が前記コネクタ係合用凹部１７内に嵌入して該突片２６と該コネクタ係合用凹部１７とが係合状態となる。
【００２７】
一方、前記突片２６と前記コネクタ係合用凹部１７とが係合した状態で前記一対の操作部２５，２５を互いに接近させるように該コネクタ１２の中心軸線ＣＬに向かって押圧すると、前記一対の突片２６が前記コネクタ係合用凹部１７からそれぞれ抜け出て、該突片２６と該コネクタ係合用凹部１７との係合状態が解除され、該コネクタ１２を該受け口１１から引き抜くことが可能となる。なお、前記操作部２５、並びに、前記弾性係合部２４に形成された突片２６及びこれと適宜係合するコネクタ係合用凹部１７によって、本発明に係る係合解除機構２７が構成されている。ところで該係合解除機構２７は、公知技術が好適に採用され得る。
【００２８】
（カバー体）
図３に示すように、コネクタ１２の構成部材であるカバー部材２０は、互いに同一のケース形状をなした一対のカバー体１９，１９からなっている。そして、該一対のカバー体１９，１９は、前記コネクタ本体１８を両側から挟み込み、該コネクタ本体１８を被覆した状態で互いに結合して使用される。
【００２９】
さらに詳述すると、図５〜図７等に示すように、前記カバー体１９の上端部には、互いに結合してカバー部材２０を構成した際に前記配線コードＸが挿通される孔２９となる窪み３０が上下方向に沿って設けられている。また、該カバー体１９には、結合対象となる他方のカバー体１９側に差し出された接続板部３１，３２が設けられている。具体的には、カバー体１９における向かい合った側壁の一方に下側接続板部３１が設けられ、他方に上側接続板部３２が前記接続板部３１よりも上側の位置に設けられている。また、両接続板部３１，３２は共に薄板状とされて弾性変形可能であり、その先端部には、それぞれ外側に向かって突出した突片３１ａ，３２ａが設けられている。
【００３０】
また、図５，６に示すように、前記カバー体１９の内部には、他方のカバー体１９に設けられた前記接続板部３１，３２が挿入される浅底の溝部３３，３４が設けられている。具体的には、他方のカバー体１９にあって、一方のカバー体１９の前記下側接続板部３１に対応する位置に下側溝部３３が設けられると共に、一方のカバー体１９の前記上側接続板部３２に対応する位置に上側溝部３４が設けられている。また、両溝部３３，３４には、前記突片３１ａ，３２ａがそれぞれ係止する段部３３ａ，３４ａが各々設けられている。
【００３１】
さらに、前記カバー体１９には、前記溝部３３，３４の段部３３ａ，３４ａを外側から覆い隠す被覆部３３ｂ，３４ｂが設けられている。また、該被覆部３３ｂ，３４ａの外側の端面には、貫通孔状のスリット４４が形成されている。さらに詳述すると、該被覆部３３ｂ，３４ｂは、前記段部３３ａ，３４ａに係止された突片３１ａ，３２ａを部分的に被覆しており、意図しない外側からの直接的な接触により該突片３１ａ，３２ａと該段部３３ａ，３４ａとの係止が解除されることを防止している。一方、前記スリット４４から針状や板状の工具を差し入れて、該スリット４４に臨む前記接続板部３１，３２を該工具で強制的に弾性変形させることにより、該突片３１ａ，３２ａと該段部３３ａ，３４ａとの係止を解除することが可能となっている。
【００３２】
さらに前記カバー体１９にあって、互いに結合した際に突き合わされる端面には、凸部３５ａ及び凹部３６ａがそれぞれ設けられている。そして、該カバー体１９，１９同士が結合した際には、一方のカバー体１９の凸部３５ａと他方のカバー体１９の凹部３６ａとが互いに嵌合する構造となっている。これにより、一対のカバー体１９，１９をコネクタ本体１８に装着して結合状態とした際のガタつきを抑制していると共に、歪み等によりカバー体１９，１９同士の結合部分に隙間が生じてしまうことを防止し、該隙間を介した不正行為を抑制している。
【００３３】
また、前記カバー体１９の内周面には、前記コネクタ本体１８の上面２２に当接するガイド面３７が適宜設けられている。さらに、該ガイド面３７の下側位置には、前記コネクタ本体１８の嵌入溝部３９に嵌入する爪部４０が設けられている。具体的には、該爪部４０は、カバー体１９の前後の側壁において左右方向に沿って内向きに各々差し出されている。
【００３４】
また、前記カバー体１０における左右の外側面であって、そのほぼ中間位置には、前記コネクタ１２の抜脱方向と略直交する方向に突き出された滑り止め突出部２８，２８が設けられている。なお、本実施例における滑り止め突出部２８は、カバー体１０の前後方向に沿って形成されたリブ形状に成形されており、各外側面において上下一対で配置されている。
【００３５】
そして、前記カバー体１９，１９を前記コネクタ本体１８に装着する際には、該コネクタ本体１８の上面２２に該カバー体１９のガイド面３７を当接させ、かつ、該カバー体１９の爪部４０をコネクタ本体１８の嵌入溝部３９に嵌入させながら該カバー体１９，１９で該コネクタ本体１８を挟み込み、対向する状態で相互を結合させる（図３等参照）。そうすると、カバー部材２０に設けられた前記左右一対の滑り止め突出部２８，２８は、該コネクタ１２における前記一対の操作部２５，２５を基準として該操作部２５の直上に配されることになり、該操作部２５よりもコネクタ抜脱側に位置することとなる。なお、前記カバー体１９の材料としては、例えばＰＣ（ポリカーボネート）、ＰＳ（ポリスチレン）、ＡＢＳ（アクリロニトリル−ブタジエン−スチレン共重合合成樹脂、あるいはＰＭＭＡ（ポリメタクリル酸メチル樹脂）等が採用可能である。これらのような透明樹脂材料を採用することにより、内部の配線が視認可能となるため、不正防止性能に優れたものとなる。
【００３６】
さらに、図７に示すように、前記コネクタ本体１８の差し込み部１３を前記受け口１１のコネクタ受け部１４に挿入した状態にあっては、上述のように、前記コネクタ係合用凹部１７にコネクタ本体１８の弾性係合部２４の突片２６が係止し、コネクタ１２が受け口１１に抜脱不能に固定される。
【００３７】
また、本実施例にあっては、図８に示すように、押圧した状態の前記操作部２５の先端と、前記コネクタ１２の中心軸線ＣＬとの距離を距離ｔ１とし、前記滑り止め突出部２８の先端と、該中心軸線ＣＬとの距離を距離Ｔとした場合、互いにｔ１＜Ｔとなる関係が成立するように寸法設定されている。また、押圧する前の状態の操作部２５の先端と、該中心軸線ＣＬとの距離を距離ｔ２とした場合、互いにｔ２＞Ｔとなる関係が成立するように寸法設定されている。すなわち、全体としてｔ１＜Ｔ＜ｔ２の関係が成立している。
【００３８】
そして、図９に示すように、接続状態のコネクタ１２を受け口１１から抜き出す際には、前記一対の操作部２５，２５を押圧しながら、前記滑り止め突出部２８，２８に指を接触させつつ、該コネクタ１２を引き抜く。かかる構成とすることにより、該コネクタ１２の抜き動作時に作業者の指が操作部２５から滑って離れてしまうことを防止することができる。さらに詳述すると、操作部２５を押圧しながら該コネクタ１２の抜脱方向にコネクタ１２を引っ張ろうとすると、該操作部２５の押圧方向とコネクタ１２の抜脱方向とが異なるため、力の加減が難しく指が滑りやすい状態となる場合がある。しかし、作業者の指は、同時に前記滑り止め突出部２８の先端にも接触しているため、抜き動作に必要な摩擦が十分に確保され、確実に指の滑りが抑止される。
【００３９】
特に、前記滑り止め突出部２８の突出方向を、前記コネクタ１２の抜脱方向に略直交する方向としたことにより、滑りやすい状態の指をコネクタ１２の抜脱側から確実に受け止めることが可能となり、指の滑りをより一層確実に抑止している。
【００４０】
また、コネクタ１２に前記滑り止め突出部２８を設けることで、作業時に自分の腕等が邪魔となって前記操作部２５が十分に見えない場合にも、該滑り止め突出部２８が案内の役割を兼ねることになり、手探りで的確に操作対象のコネクタ１２の位置や操作部２５の位置、あるいは抜脱方向を把握することが可能となる。
【００４１】
なお、上述のように、コネクタ１２にあって、ｔ１＜Ｔ＜ｔ２（ｔ１：押圧状態における操作部２５の先端とコネクタ１２の中心軸線ＣＬとの距離、Ｔ：滑り止め突出部２８の先端と中心軸線ＣＬとの距離、ｔ２：押圧前における操作部２５の先端とコネクタ１２の中心軸線ＣＬとの距離）となるように寸法設定したため、前記操作部２５を押圧した際に、操作する指が前記滑り止め突出部２８に接触しやすくなり、滑り止めの効果が確実に得られると共に、操作部２５の押圧操作が前記滑り止め突出部２８によって邪魔されることがなく、作業性も損なわれない。
【００４２】
また、コネクタ本体１８に対して、上記カバー部材２０を装着する構成とすることにより、外部からの不正行為を好適に防止し得ると共に、滑り止め突出部２８が形成されない既存のコネクタ本体１８に対して滑り止め突出部２８を取り付けることが可能となる。
【００４３】
なお、上記した実施例におけるコネクタ１２は、操作部２５が左右一対で設けられているものであるが、これに限定されることはなく、コネクタ１２に対して一つの操作部２５のみが設けられている構成であっても勿論よい。かかる場合にも、該コネクタ１２の抜き動作の際に、操作部２５を押圧する指と前記滑り止め突出部２８の先端とが接触した状態となるよう滑り止め突出部２８を設けることにより、操作部２５を押圧する指の滑りを防止することができる。
【００４４】
また、上記した係合解除機構２７は、上記したものに限定されることはなく、指で押圧することで係合を解除できる構成のものであれば、いかなる形状のものであっても構わない。
【００４５】
また、前記滑り止め突出部２８は、１つの操作部２５に対して２つ設ける必要はなく、単数であってもよいし、あるいは３つ以上設けられていても構わない。また、滑り止め突出部２８の形状は、上記実施例に限定されることはなく、操作部２５の押圧操作を行う際の滑りを抑制する役割を果たすものであれば本発明の主旨を逸脱しない限りどのような形状であっても構わない。
【００４６】
また、上記した実施例におけるカバー部材２０は、互いに同一形状の一対のカバー体１９，１９によって構成されているが、これに代えて、形状の異なる部材同士を結合してカバー部材とするものであっても構わない。また、カバー部材２０を別体のカバー体１９，１９からなるものとする必要はなく、一体化された形態のものであっても構わない。さらに、コネクタ本体１８と滑り止め突出部２８とが一体形成されてなる構成であっても構わない。
【００４７】
また、コネクタ接続構造１０を構成する各部材の材料は特に限定されることはなく、例えば合成樹脂製とすることができる。
【００４８】
また、本発明は上記実施例に記載した電源装置３にのみに適用されるものではなく、配線コードＸによって電気的に接続されるものであれば、他の部位に適用されても勿論構わない。また、本発明は、スロットマシン１に限定して適用されるものではなく、いわゆるパチンコ機やパロット機等の他の遊技機に適用されても勿論構わない。
【符号の説明】
【００４９】
１                        スロットマシン（遊技機）
１０                      コネクタ接続構造
１１                      受け口
１２                      コネクタ
１８                      コネクタ本体
１９                      カバー体
２０                      カバー部材
２５                      操作部
２７                      係合解除機構
２８                      滑り止め突出部
Ｘ                        配線コード
【要約】
【課題】メンテナンス効率が向上するコネクタ接続構造を提供する。
【解決手段】コネクタ接続構造１０は、受け口１１に係合されて接続状態となっているコネクタ１２を抜脱する際に、コネクタ１２に設けられた操作部２５を押圧して該受け口１１と該コネクタ１２との係合状態が解除される係合解除機構２７を備え、さらに該コネクタ１２には滑り止め突出部２８が設けられており、該滑り止め突出部２８は該コネクタ１２における該操作部２５を基準として該操作部２５よりもコネクタ１２抜脱側に配置され、かつ該コネクタ１２の抜脱方向と略直交する方向に突出形成されており、該コネクタ１２の抜き動作の際に、前記操作部２５を押圧する指と前記滑り止め突出部２８の先端とが接触した状態となる。
【選択図】図８【図１】
0005633761.tif 000002
【図２】
0005633761.tif 000003
【図３】
0005633761.tif 000004
【図４】
0005633761.tif 000005
【図５】
0005633761.tif 000006
【図６】
0005633761.tif 000007
【図７】
0005633761.tif 000008
【図８】
0005633761.tif 000009
【図９】
0005633761.tif 000010